【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
情報記録媒体製造管理システムであり、
コンテンツに関する著作権または頒布権を持つコンテンツ権利所有エンティテイと、
前記コンテンツ権利所有エンティテイからの情報記録媒体製造要求を受領して暗号化コンテンツを格納した情報記録媒体の製造処理を実行する情報記録媒体製造エンティテイと、
前記情報記録媒体製造エンティテイからの鍵情報発行要求に応答して前記暗号化コンテンツの復号に適用する鍵情報を取得可能な鍵情報ブロックを前記情報記録媒体製造エンティテイに提供する鍵情報発行エンティテイとを有し、
前記鍵情報発行エンティテイは、
前記情報記録媒体製造エンティテイからの鍵情報発行要求が、前記コンテンツ権利所有エンティテイからの情報記録媒体製造要求に対応する正当な要求データであるか否かを検証し、正当要求データであることの確認を条件として、前記鍵情報ブロックを前記情報記録媒体製造エンティテイに提供し、
前記情報記録媒体製造エンティテイは、
前記コンテンツ権利所有エンティテイからの受領コンテンツを暗号化した暗号化コンテンツ、および前記鍵情報発行エンティテイから受領した前記鍵情報ブロックを格納した情報記録媒体を製造する構成を有することを特徴とする情報記録媒体製造管理システム。
【請求項２】
前記鍵情報ブロックは、正当なコンテンツ利用権を持つユーザデバイスに格納された鍵に基づく復号処理によってのみ取得可能な鍵情報を格納した鍵情報ブロックであり、該鍵情報ブロックから取得可能な鍵情報は、前記情報記録媒体に格納される暗号化コンテンツの復号処理に必要となる鍵情報であることを特徴とする請求項１に記載の情報記録媒体製造管理システム。
【請求項３】
前記鍵情報ブロックは、ツリー構成のリーフに設定した複数のユーザデバイスから選択したユーザデバイスの格納鍵を適用した復号処理によってのみ鍵情報の取得を可能としたＥＫＢ（Enabling Key Block）であることを特徴とする請求項２に記載の情報記録媒体製造管理システム。
【請求項４】
前記鍵情報発行エンティテイは、
前記情報記録媒体製造エンティテイからの鍵情報発行要求に含まれる前記コンテンツ権利所有エンティテイの署名検証処理に基づいて、前記鍵情報発行要求が、情報記録媒体製造要求に対応する正当な要求データであるか否かの検証を実行する構成であることを特徴とする請求項１に記載の情報記録媒体製造管理システム。
【請求項５】
前記コンテンツ権利所有エンティテイ、前記情報記録媒体製造エンティテイ、および前記鍵情報発行エンティテイの間において実行するデータ送受信に際しては、相互認証処理を実行し、認証成立を条件としたデータ通信を実行するとともに、送信データの暗号化処理を行う構成であることを特徴とする請求項１に記載の情報記録媒体製造管理システム。
【請求項６】
前記コンテンツ権利所有エンティテイと前記情報記録媒体製造エンティテイ間における情報伝達処理は、記録媒体を介した処理として実行する構成であることを特徴とする請求項１に記載の情報記録媒体製造管理システム。
【請求項７】
前記コンテンツ権利所有エンティテイ、前記情報記録媒体製造エンティテイ、および前記鍵情報発行エンティテイは、認証局において発行される公開鍵証明書に対応する公開鍵および秘密鍵を有し、各エンティテイ間の通信においては、公開鍵暗号方式の相互認証を実行する構成であることを特徴とする請求項１に記載の情報記録媒体製造管理システム。
【請求項８】
前記情報記録媒体製造要求、および前記鍵情報発行要求には、前記コンテンツ権利所有エンティテイ、前記情報記録媒体製造エンティテイの識別情報が含まれる構成であることを特徴とする請求項１に記載の情報記録媒体製造管理システム。
【請求項９】
前記鍵情報発行要求は、前記コンテンツ権利所有エンティテイの公開鍵証明書を含む構成であり、
前記鍵情報発行エンティテイは、前記コンテンツ権利所有エンティテイの公開鍵証明書の無効化状況としてのリボーク状況を検証し、リボークされていないことの確認を条件として、前記鍵情報ブロックを前記情報記録媒体製造エンティテイに提供する処理を実行する構成であることを特徴とする請求項１に記載の情報記録媒体製造管理システム。
【請求項１０】
前記鍵情報発行要求は、情報記録媒体に格納予定のコンテンツまたは該コンテンツに対応するハッシュ値のいずれかを含む構成であることを特徴とする請求項１に記載の情報記録媒体製造管理システム。
【請求項１１】
前記情報記録媒体製造エンティテイは、
製造数記録処理を行う情報記録媒体製造装置を適用した情報記録媒体製造処理を実行する構成であることを特徴とする請求項１に記載の情報記録媒体製造管理システム。
【請求項１２】
前記情報記録媒体製造エンティテイは、
情報記録媒体製造管理システムの管理エンティテイからライセンスされたデータ書き込み機を有し、
前記管理エンティテイからの書き込み許可情報の受領を条件として、前記データ書き込み機を用いた情報記録媒体に対するデータ書き込み処理を実行する構成であることを特徴とする請求項１に記載の情報記録媒体製造管理システム。
【請求項１３】
情報記録媒体製造要求データの生成処理を実行する情報処理装置であり、
コンテンツと、コンテンツ権利所有エンティテイと情報記録媒体製造エンティテイ各々の識別データと、情報記録媒体製造数データとを含み、
上記各データに対するデジタル署名を施した情報記録媒体製造要求データの生成処理を実行する構成を有することを特徴とする情報処理装置。
【請求項１４】
コンテンツ権利所有エンティテイから受領する情報記録媒体製造要求データに対応する鍵情報発行要求データを生成する情報処理装置であり、
コンテンツまたはコンテンツに基づくハッシュ値の少なくともいずれかのデータと、コンテンツ権利所有エンティテイと情報記録媒体製造エンティテイ各々の識別データと、情報記録媒体製造数データとを含み、上記各データに対するコンテンツ権利所有エンティテイのデジタル署名を含む鍵情報発行要求データの生成処理を実行する構成を有することを特徴とする情報処理装置。
【請求項１５】
情報記録媒体製造エンティテイからの鍵情報発行要求に応答して情報記録媒体に格納する暗号化コンテンツの復号に適用する鍵情報を取得可能な鍵情報ブロックを前記情報記録媒体製造エンティテイに提供する処理を実行する情報処理装置であり、
前記鍵情報発行要求に含まれるコンテンツ権利所有エンティテイの署名検証処理を実行し、該署名検証に基づいて、前記鍵情報発行要求が、コンテンツ権利所有エンティテイの発行した情報記録媒体製造要求に対応する正当な鍵情報発行要求データであることの確認を条件として、情報記録媒体製造エンティテイに対する前記鍵情報ブロックの送信処理を実行する構成を有することを特徴とする情報処理装置。
【請求項１６】
情報記録媒体製造管理方法であり、
コンテンツに関する著作権または頒布権を持つコンテンツ権利所有エンティテイから、暗号化コンテンツを格納した情報記録媒体の製造処理を実行する情報記録媒体製造エンティテイに対して情報記録媒体製造要求を送信するステップと、
前記情報記録媒体製造エンティテイから、鍵情報発行エンティテイに対して鍵情報発行要求を送信するステップと、
前記鍵情報発行要求が前記コンテンツ権利所有エンティテイからの情報記録媒体製造要求に対応する正当な要求データであるか否かについて、前記鍵情報発行エンティテイにおいて検証する検証ステップと、
前記検証ステップにおける検証処理の結果、前記鍵情報発行要求が前記情報記録媒体製造要求に対応する正当要求データであることが確認されたことを条件として、前記暗号化コンテンツの復号に適用する鍵情報を取得可能な鍵情報ブロックを前記鍵情報発行エンティテイから前記情報記録媒体製造エンティテイに提供する鍵情報発行ステップと、
前記情報記録媒体製造エンティテイにおいて、前記コンテンツ権利所有エンティテイからの受領コンテンツを暗号化した暗号化コンテンツ、および前記鍵情報発行エンティテイから受領した前記鍵情報ブロックを格納した情報記録媒体を製造する情報記録媒体製造ステップと、
を有することを特徴とする情報記録媒体製造管理方法。
【請求項１７】
情報記録媒体製造要求データの生成処理を実行する情報処理方法であり、
コンテンツと、コンテンツ権利所有エンティテイと情報記録媒体製造エンティテイ各々の識別データと、情報記録媒体製造数データとを含み、
上記各データに対するデジタル署名を施した情報記録媒体製造要求データの生成処理を実行することを特徴とする情報処理方法。
【請求項１８】
コンテンツ権利所有エンティテイから受領する情報記録媒体製造要求データに対応する鍵情報発行要求データを生成する情報処理方法であり、
コンテンツまたはコンテンツに基づくハッシュ値の少なくともいずれかのデータと、コンテンツ権利所有エンティテイと情報記録媒体製造エンティテイ各々の識別データと、情報記録媒体製造数データとを含み、上記各データに対するコンテンツ権利所有エンティテイのデジタル署名を含む鍵情報発行要求データの生成処理を実行することを特徴とする情報処理方法。
【請求項１９】
情報記録媒体製造エンティテイからの鍵情報発行要求に応答して情報記録媒体に格納する暗号化コンテンツの復号に適用する鍵情報を取得可能な鍵情報ブロックを前記情報記録媒体製造エンティテイに提供する処理を実行する情報処理方法であり、
前記鍵情報発行要求に含まれるコンテンツ権利所有エンティテイの署名検証処理を実行し、該署名検証に基づいて、前記鍵情報発行要求が、コンテンツ権利所有エンティテイの発行した情報記録媒体製造要求に対応する正当な鍵情報発行要求データであることの確認を条件として、情報記録媒体製造エンティテイに対する前記鍵情報ブロックの送信処理を実行することを特徴とする情報処理方法。
【請求項２０】
情報記録媒体製造要求データの生成処理を実行するコンピュータ・プログラムであり、
コンテンツと、コンテンツ権利所有エンティテイと情報記録媒体製造エンティテイ各々の識別データと、情報記録媒体製造数データとを含み、上記各データに対するデジタル署名を施した情報記録媒体製造要求データの生成処理を実行することを特徴とするコンピュータ・プログラム。
【請求項２１】
コンテンツ権利所有エンティテイから受領する情報記録媒体製造要求データに対応する鍵情報発行要求データを生成するコンピュータ・プログラムであり、
コンテンツまたはコンテンツに基づくハッシュ値の少なくともいずれかのデータと、コンテンツ権利所有エンティテイと情報記録媒体製造エンティテイ各々の識別データと、情報記録媒体製造数データとを含み、上記各データに対するコンテンツ権利所有エンティテイのデジタル署名を含む鍵情報発行要求データの生成処理を実行することを特徴とするコンピュータ・プログラム。
【請求項２２】
情報記録媒体製造エンティテイからの鍵情報発行要求に応答して情報記録媒体に格納する暗号化コンテンツの復号に適用する鍵情報を取得可能な鍵情報ブロックを前記情報記録媒体製造エンティテイに提供する処理を実行するコンピュータ・プログラムであり、
前記鍵情報発行要求に含まれるコンテンツ権利所有エンティテイの署名検証処理を実行し、該署名検証に基づいて、前記鍵情報発行要求が、コンテンツ権利所有エンティテイの発行した情報記録媒体製造要求に対応する正当な鍵情報発行要求データであることの確認を条件として、情報記録媒体製造エンティテイに対する前記鍵情報ブロックの送信処理を実行することを特徴とするコンピュータ・プログラム。